(57)【要約】【課題】簡便に、より大きな面積の、複数種のサンプルを展示することができ、しかもキャビネット扉のように左右一対の突合わせ展示をも可能とし、高さ位置や幅の大きさの設定も容易とされる、新しい化粧板サンプル展示装置と、これを利用したキッチン用化粧板サンプル展示装置を提供する。【解決手段】前面に開口部（１１）（２１）（３１）を有する収納体（１）（２）（３）において、開口部で前後方向にスライド可能とされ横幅方向に複数本並設されたレール体と、このレール体に回動自在に取付けられるとともに横幅方向に対称に配置された左右一対の化粧板サンプル（１２）（２２）（３２）とを備え、この左右一対の化粧板サンプルは、開口部よりレール体とともに前方に引出されて回動されることにより面一に突合わされるようにする。【選択図】　　　　図１
2004097710.tif 000002
【特許請求の範囲】
【請求項１】
前面に開口部を有する収納体において、開口部で前後方向にスライド可能とされ横幅方向に複数本並設されたレール体と、このレール体に回動自在に取付けられるとともに横幅方向に対称に配置された左右一対の化粧板サンプルとを備え、この左右一対の化粧板サンプルは、開口部よりレール体とともに前方に引出されて回動されることにより面一に突合わされるようにしたことを特徴とする化粧板サンプル展示装置。
【請求項２】
請求項１の展示装置を構成する収納体の複数のものが高さ方向および横方向の少くともいずれかに組合わせ配列されて単一の展示体として構成されていることを特徴とする化粧板サンプル展示装置。
【請求項３】
請求項１または２の展示装置において、移動設置可能とされていることを特徴とする化粧板サンプル展示装置。
【請求項４】
複数の収納体の少くとも一つが部分的に独立して移動可能とされていることを特徴とする請求項２または３の化粧板サンプル展示装置。
【請求項５】
請求項２ないし３のいずれかの展示装置において、収納体の少くとも一つが吊戸棚の高さ位置に、また収納体の少くとも一つがカウンター板下方に配置されるキャビネットの高さ位置に配設されていることを特徴とするキッチンサンプル展示装置。
【請求項６】
請求項５の展示装置において、吊戸棚の高さ位置とキャビネットの高さ位置との間にはキッチン壁パネル用化粧板サンプルを備えた収納体が配設されていることを特徴とするキッチンサンプル展示装置。
【発明の詳細な説明】
【０００１】
【発明の属する技術分野】
この出願の発明は、化粧板サンプル展示装置とこれを利用したキッチンサンプル展示装置に関するものである。
【０００２】
【従来の技術】
キッチン等の吊戸棚や足元キャビネット等の扉、そしてキッチン等の壁パネルとして用いられる化粧板は、キッチン等の室内の色調、雰囲気に大きな影響を及ぼすことから、あらかじめユーザーがサンプルを目視して実際の化粧板を選定することが望ましいことが一般的に承知されている。
【０００３】
このようなサンプルの事前の目視判断のために、従来、小さなサンプル片を見本として用意し、これをユーザーに提示するか、あるいは係止金具やマグネットの吸着力等を利用して、化粧板サンプルを壁面やキャビネットサンプルに係止もしくは貼り付けてユーザーの目視判断に供してきている。
【０００４】
しかしながら、このような従来の方策においては、サンプル片の場合にはより大きな面積とした場合や設置の高さ、幅位置による外観の相違を判断することが難しく、また、サンプルを係止もしくは貼り付けの場合には、色調や材質、あるいは模様等の異なる複数種類のサンプルを展示するにはそのための手間は大変に大きく、高さや幅位置の適切な設定も容易ではないという問題があった。
【０００５】
このようなことからも、より簡便な操作でより大きなサンプルを展示することが望まれていたが、吊戸棚やキャビネットの扉等としての化粧板のサンプルを展示するための手段としては満足できるものが実現されていないのが実情である。
【０００６】
そこで、キャビネット等の前面開口に設置する扉についてはその開閉の機構は様々なものが知られていることから、これらの公知の機構を利用して、たとえば図７のように、キャビネット（８）の位置から扉（９）を引出して回転させることにより前面開口部を閉鎖するようにした開閉機構（特許文献１）によりサンプル展示装置を構成することが考えられなくもない。
【０００７】
しかしながら、このような公知の開閉機構では、複数種のサンプルを随時に展示できるようにすることは難しく、また、キャビネット等における左右一対の突合わせにより開口部が閉鎖されるようにした扉としての化粧板サンプルを目視判断することが困難であるという問題がある。
【０００８】
【特許文献】
１：実公平７−８７６４号公報
【０００９】
【発明が解決しようとする課題】
そこで、この出願の発明は、以上のとおりの従来の問題点を解消し、より簡便に、より大きな面積の複数種のサンプルを展示することができ、しかもキャビネット扉のように左右一対の突合わせ展示をも可能とし、高さ位置や幅の大きさの設定も容易とされる、新しい化粧板サンプル展示装置と、これを利用したキッチン用化粧板サンプル展示装置を提供することを課題としている。
【００１０】
【課題を解決するための手段】
この出願の発明は、上記の課題を解決するものとして、第１には、前面に開口部を有する収納体において、開口部で前後方向にスライド可能とされ横幅方向に複数本並設されたレール体と、このレール体に回動自在に取付けられるとともに横幅方向に対称に配置された左右一対の化粧板サンプルとを備え、この左右一対の化粧板サンプルは、開口部よりレール体とともに前方に引出されて回動されることにより面一に突合わされるようにしたことを特徴とする化粧板サンプル展示装置を提供する。
【００１１】
また、この出願の発明は、第２には、前記の展示装置を構成する収納体の複数のものが高さ方向および横方向の少くともいずれかに配列されて単一の展示体として構成されていることを特徴とする化粧板サンプル展示装置を提供する。
【００１２】
また、この出願の発明は、第３には、以上の展示装置において、移動設置可能とされていることを特徴とする化粧板サンプル展示装置を提供し、第４には、複数の収納体の少くとも一つが部分的に独立して移動可能とされていることを特徴とする請求項２または３の化粧板サンプル展示装置を提供する。
【００１３】
さらにまたこの出願の発明は、第５には、以上の展示装置において、収納体の少くとも一つが吊戸棚の高さ位置に、また収納体の少くとも一つがカウンター板下方に配置されるキャビネットの高さ位置に配設されていることを特徴とするキッチンサンプル展示装置を提供し、第６には、展示装置において、吊戸棚の高さ位置とキャビネットの高さ位置との間にはキッチン壁パネル用化粧板サンプルを備えた収納体が配設されていることを特徴とするキッチンサンプル展示装置を提供する。
【００１４】
【発明の実施の形態】
この出願の発明は、上記のとおりの特徴をもつものであるが、以下にその実施の形態について説明する。
【００１５】
添付した図面の図１は、キッチン化粧板サンプル展示装置としてこの出願の発明の化粧板サンプル展示装置の一実施形態を例示した斜視図である。
【００１６】
たとえばこの図１に例示したように、この出願の発明の化粧板サンプル展示装置では、前面に開口部（１１）（２１）（３１）を有する収納体（１）（２）（３）の各々において、開口部（１１）（２１）（３１）で前後方向にスライド可能とされ横幅方向に複数本並設されたレール体に回動自在に取付けられるとともに、横幅方向に対称に配置された左右一対の化粧板サンプル（１２）（２２）（３２）を備え、この左右一対の化粧板サンプル（１２）（２２）（３２）は、開口部（１１）（２１）（３１）よりレール体とともに前方に引出されて回動されることにより面一に突合わされるようにしている。
【００１７】
レール体を用いての化粧板サンプル（１２）（２２）（３２）の引出しと回動の機構については、たとえば収納体（１）の場合について例示した図２の正面図（Ａ）および縦断面図（Ｂ）並びに図３の横断面図に沿って例示説明すると、収納体（１）内に収納されている化粧板サンプル（１２）は、受けレール体（３）によりスライド移動自在に支持されたレール体（１３）によって開口部（１１）において矢印の前後方向にスライド可能とされている。そして、化粧板サンプル（１２）は、このレール体（１３）にピン（１４）等により軸支されて矢印方向に回動自在とされている。この場合のピン（１４）の位置は回動中心となるが、その位置は、この例の場合には、複数の化粧板サンプル（１２）が並設される幅方向の位置によって相違することになる。たとえば図３においては、右端の化粧板サンプル（１２Ａ）（１２Ｂ）は、回動中心のピン（１４）の位置は最も収納体（１）に近いが、中央部に配置された化粧板サンプル（１２）の場合にはより離れた位置となる。そして、両端の化粧板サンプル（１２Ａ）（１２Ｂ）は、各々逆の方向に回動することになる。
【００１８】
ただ、いずれの回動の場合においても、化粧板サンプル（１２）の長さは、収納体（１）の開口部（１１）の幅：Ｗの１／２の長さとなる。
【００１９】
たとえばこのような機構によって、化粧板サンプル（１２）の開口部（１１）からの引出しと、その回動によって、左右一対の化粧板サンプル（１２）が面一に配置されてその表面を前方に向け、相互に突合わせた状態、すなわち扉がキャビネットを閉鎖した状態として、その外観性をユーザーが目視判断することができることになる。
【００２０】
そして複数種の色調、柄等の異なる化粧板サンプル（１２）が収納体（１）内に収納引出し自在とされていることから、随時に様々なサンプルを引出してユーザーの選択の利便に供することができる。
【００２１】
以上のような機構は、収納体（１）だけでなく、図１に例示した収納体（２）（３）においても同様に採用することができる。
【００２２】
この出願の発明においては、化粧板サンプル展示装置は、たとえば図１の収納体（１）（２）（３）が各々独立した形態として構成されていてもよいし、あるいは図１の例のように、複数の収納体（１）（２）（３）が組合わせ配列されて単一の展示体として構成されてもよい。この場合の組合わせは、図１の例のように、高さ方向でもよいし、幅方向もしくは高さと幅方向の組合わせ配列であってもよい。
【００２３】
このような組合わせによって、たとえば図１に例示した展示装置では、収納体（１）が吊り戸棚に該当する高さ位置に、また収納体（２）が、カウンター板（４）下方のキャビネットに該当する位置にあるようにすることができる。こうすることによって、キッチン化粧板サンプル展示装置として、ユーザーにとって価値の高いものとなり、また、展示者にとっても簡便に操作することが可能となる。
【００２４】
さらに収納体の組合わせによっては、たとえば図１にも例示したように、壁パネル用化粧板サンプル（３３）を展示するための前記同様の収納体（３）を、上下の中間位置、つまり吊戸棚高さと足元キャビネット位置の中間位置に配置することもできる。たとえばこのように、ユーザーの視線の高さを、キッチン等の室内と同様のものに設定することができる。
【００２５】
図４は、収納体（３）をも配置した図１の例について、化粧板サンプル（１２）（２２）（３２）の全てが収納体（１）（２）（３）内に収納されている状態を例示した正面図であり、図５はその縦断面図である。また、図６は、化粧板サンプル（１２）（２２）（３２）を引出し、これを前記のように回動させて、面一の左右突合わせ状態とした場合の正面図である。
【００２６】
この出願の発明の化粧板サンプル展示装置、あるいはこれを利用したキッチンサンプル展示装置においては、たとえば図４、図５および図６にも例示したように、収納体（２）をキャスター（５）等の手段によって移動可能とすることができ、また、この移動は、単一の展示装置の部分的移動とし、たとえば図５に例示した背面部のキャスター（６）等によって、全体を倒して移動可能とすることもできる。もちろんこの移動手段や方法は様々な形態であってよい。このような移動手段を採用することで、展示会、あるいは位置の施工現場等において、この出願の発明の展示装置を利用することが簡便に可能となる。
【００２７】
そして、この出願の化粧板サンプル展示装置並びにキッチンサンプル展示装置においては、たとえば図６のように面一で左右突合わせ状態となった時に化粧板サンプルに磁石の吸着による取手サンプルを装着できるようにサンプルに磁石を貼付け、または埋設しておくことや、たとえば図１においてのカウンター板（４）の交換や、足元最下部（７）に床材の引出、その交換等による展示機能を持たせること等も考慮することができる。
【００２８】
もちろん、この出願の発明は以上の例示によって限定されることはない。その細部の形態についても様々に可能であることは言うまでもない。
【００２９】
【発明の効果】
以上詳しく説明したとおり、この出願の発明によって、より簡便に、より大きな面積の、複数種のサンプルを展示することができ、しかもキャビネット扉のように左右一対の突合わせ展示をも可能とし、高さ位置や幅の大きさの設定も容易とされ、ユーザーにとっての利便性にも優れた新しい化粧板サンプル展示装置と、これを利用したキッチン用化粧板サンプル展示装置を提供することができる。
【図面の簡単な説明】
【図１】この出願の発明の一実施形態を例示した斜視図である。
【図２】収納体における化粧板サンプルの収納と引出しについて例示した正面図（Ａ）と縦断面図（Ｂ）である。
【図３】化粧板サンプルの引出しと回動の機構について例示した横断面図である。
【図４】図１の例において化粧板サンプルの収納時の状態を例示した正面図である。
【図５】図４に対応する縦断面図である。
【図６】化粧板サンプルの面一で左右突合わせ状態を例示した正面図である。
【図７】従来例としての扉の引出し回転の機構を示した縦断面図である。
【符号の説明】
１、２、３　収納体
１１、２１、３１　開口部
１２、２２、３２　化粧板サンプル
１３　レール体
１４　ピン
３　受けレール
４　カウンター板
５、６　キャスター
７　足元最下部
８　キャビネット
９　扉
【図１】
2004097710.tif 000003
【図２】
2004097710.tif 000004
【図３】
2004097710.tif 000005
【図４】
2004097710.tif 000006
【図５】
2004097710.tif 000007
【図６】
2004097710.tif 000008
【図７】
2004097710.tif 000009